(57)【要約】      （修正有）【課題】納骨堂の内部構造を奥行き方向の長さが制限されるようなスペースにおいても建設可能な納骨堂及び永代供養用墓構造を提供する。【解決手段】永代供養用墓構造は、一端から他端に渡って幅方向に貫通する本体部１００と、骨壷３００を収容し、前記本体部の内部に配設される骨壷収容部１１０と、前記骨壷収容部の底部に配置されると共に、前記骨壷収容部をスライド移動可能な状態で支持する支持体１３０とを含む納骨堂とする。【選択図】図２
0003179724.tif 000002
【実用新案登録請求の範囲】
【請求項１】
一時的に骨壷を保管する納骨堂であって、
内部が空洞で、一端から他端に渡って幅方向に貫通する本体部と、
前記骨壷を収容し、前記本体部の内部に配設される骨壷収容部と、
前記骨壷収容部の底部に配置されると共に、前記骨壷収容部をスライド移動可能な状態で支持する支持体とを含み、
前記本体部内部に形成された空洞領域の奥行きは、前記骨壷収容部の奥行きと同程度であり、
骨壺を取り出す際、前記骨壺収容部を前記本体部の一方の端側に向かってスライド移動させることを特徴とする納骨堂。
【請求項２】
前記骨壷収容部は、前記本体部の幅方向に連なって複数配設される請求項１に記載の納骨堂。
【請求項３】
前記骨壷収容部は、前記本体部の高さ方向に連なって複数配設される請求項１又は２に記載の納骨堂。
【請求項４】
前記支持体は、前記骨壷収容部の底部に取り付けられる車輪である請求項１から３のいずれか一項に記載の納骨堂。
【請求項５】
前記支持体は、
前記本体部の前壁から後壁にかけて掛け渡される基板と、
前記基板上で、且つ前記本体部の幅方向に敷設されるレールとを有し、
前記骨壺収容部が、前記レールに載置される請求項１から３のいずれか一項に記載の納骨堂。
【請求項６】
請求項１から５のいずれか一項に記載の納骨堂と、
合祀遺骨埋葬部とを備える永代供養用墓構造。
【考案の詳細な説明】
【技術分野】
【０００１】
本考案は、納骨堂及びこの納骨堂を備える永代供養用墓構造に関する。
【背景技術】
【０００２】
人口の都市集中化等により、日本人の生活様式が大幅に変化し、それに呼応するよう、墓地の所有方法や遺骨の供養形態にも変化が生じている。特に、生活基盤の都市への移行や、それに伴う核家族化によって、従前のような、一家が一つの墓地区画を所有し、そこに建てられる墓に遺骨を納める形態の供養方法ではなく、火葬された遺骨を、血縁関係等のない他人の遺骨と共に納骨堂に納め、所定期間経過後、他の場所に永代的に合祀する形態の供養方法が選択されるケースが増えている。
【０００３】
しかしながら、上記の納骨堂や合祀墓には、多くの遺骨が収容されるため、これらの建物を建設するためには、広い敷地面積が必要である。また、このような大きな建物の建設には、多額の費用が必要であると共に、管理者側に多額の維持費用が生じる。さらに、都市部では、墓地等として利用できる土地面積が限られており、納骨堂や合祀墓の敷地面積に限りがある。
【０００４】
そのような状況に鑑み、納骨堂の構造等に工夫を凝らし、コンパクトで且つ遺骨の入った骨壷の収容効率を高めるための技術として、特許文献１が開示されている。この特許文献１に記載の技術は、内部への出入戸を備える納骨堂本体に、出入方向と交差する方向に移動可能な移動棚が設けられ、この移動棚を移動させることで、それに隣接する隙間が形成され、その形成領域を人間（骨壷の運搬者や参拝者等）の歩行用通路として活用するものである。
【先行技術文献】
【特許文献】
【０００５】
【特許文献１】特開２００９−２８７２９５号公報
【考案の概要】
【考案が解決しようとする課題】
【０００６】
しかしながら、上記特許文献に記載の技術は、納骨堂本体の出入方向に交差する方向に複数の移動棚が連設される構造であると共に、納骨堂本体の内部に、人の歩行用通路を設ける構造であることから、幅方向及び奥行き方向に所定の長さが必要となる。そのため、二次元（幅×奥行き）の敷地面積を確保しなければならず、そのいずれか（幅又は奥行き）の寸法が制限される敷地に、この納骨堂を建てることが難しいという課題がある。
【０００７】
上記課題に鑑み、本考案は、納骨堂の内部構造を工夫し、例えば、奥行き方向の長さが制限されるようなスペースにおいても建設可能な納骨堂及び永代供養用墓構造を提供することを目的とする。
【課題を解決するための手段】
【０００８】
前記課題を解決するための本考案に係る納骨堂は、
内部が空洞で、一端から他端に渡って幅方向に貫通する本体部と、
骨壷を収容し、前記本体部の内部に配設される骨壷収容部と、
前記骨壷収容部の底部に配置されると共に、前記骨壷収容部をスライド移動可能な状態で支持する支持体とを含み、
前記本体部内部に形成された空洞領域の奥行きは、前記骨壷収容部の奥行きと同程度であり、
骨壺を取り出す際、前記骨壺収容部を前記本体部の一方の端側に向かってスライド移動させることを特徴とする。また、本考案に係る永代供養用墓構造は、前記納骨堂を備えることを特徴とする。
【考案の効果】
【０００９】
本考案によれば、例えば、幅方向のみに長さが確保できるスペースにおいても建設可能で、敷地面積の限られる都市部の墓地においても、過度なスペースを取ることなく設置可能であり、且つ建設費用及び維持管理費用の安価な納骨堂及び永代供養用墓構造を提供することができる。また、本体部内部に配設される骨壷収容部をスライド移動可能に配置することから、骨壷の収容及び取り出し作業が容易な納骨堂及び永代供養用墓構造を提供することができる。
【図面の簡単な説明】
【００１０】
【図１】本考案の永代供養用墓構造に係る斜視図。
【図２】第一の実施形態に係る納骨堂本体部のＡ−Ａ断面図。
【図３】第一の実施形態に係る納骨堂本体部のＡ−Ａ断面図。
【図４】第二の実施形態に係る納骨堂本体部のＡ−Ａ断面図。
【図５】第二の実施形態に係る納骨堂本体部の矢視図。
【図６】本考案に係る他の実施形態の斜視図。
【図７】本考案に係る他の実施形態の斜視図。
【図８】本考案に係る他の実施形態の斜視図。
【考案を実施するための形態】
【００１１】
以下、図面を参照して本考案の望ましい実施形態を詳細に説明する。但し、本考案は多くの異なる態様で実施することが可能であり、以下に示す実施の形態の記載内容に限定して解釈されるものではない。
【００１２】
まず、図１から図２を参照して、本考案に係る第一の実施形態について詳細に説明する。図１は、本考案の永代供養用墓構造１０に係る斜視図（ただし、後述する骨壷収容部が、納骨堂本体部の内部に配設されていない状態に対応。）であり、図２は、図１に記載される納骨堂本体部のＡ−Ａ断面図（納骨堂本体部の内部を正面から見た図。ただし、図１とは異なり、骨壷収容部は、納骨堂本体部の内部に配設されている。）である。
【００１３】
図１に示すように、本考案の永代供養用墓構造１０は、内部に複数の骨壷を納めるための納骨堂１０００と、所定期間経過後、納骨堂１０００に納められた骨壷内の遺骨を合祀埋葬するための合祀遺骨埋葬部２０００等を含む。敷地スペースの関係上、合祀遺骨埋葬部２０００は、地下に埋設されるのが好ましい。
【００１４】
納骨堂１０００は、内部が空洞で、一端から他端に渡って幅方向に貫通する本体部１００を有する。図１では、高さの異なる複数の本体部１００（１００Ａから１００Ｃ）が、奥行き方向に連設されている。ただし、墓地の納骨堂設置スペースの面積によっては、例えば、本体部１００を一つのみ（例えば、１００Ａのみ）とすることも可能である。このように、本考案は、奥行き方向に設置する本体部１００の数を調整することで、敷地スペースに制限されることなく、納骨堂を設置することができる。
【００１５】
本体部１００は、上述したように、幅方向に貫通する構造を有しているため、端部１０１は開口状態となっている。そのため、この開口端部１０１を塞ぐための開閉扉１０２を設けることが好ましい。
【００１６】
図２に示すように、本体部１００の内部の空洞領域には、骨壷収容部１１０が配設される。骨壷収容部１１０は、その内側に、高さ方向に所定間隔で配置される棚板１１１を有し、その棚板１１１の上に、骨壷３００が載置される（図２では、さらに、骨壷収容部１１０の天板１１２上にも、骨壷３００が配置されている。）。
【００１７】
また、図２の下方に示すように、骨壷収容部１１０の底部には、骨壷収容部１１０を支える支持体１３０が設けられる。本実施形態では、この支持体１３０が、車輪となっており、骨壷収容部１１０が、スライド移動可能な状態で支持される。これにより、過度な作業負担を掛けることなく、本体部１００の開口端部１０１から、骨壷収容部１１０を外部に取り出すことができる。
【００１８】
図２では、本体部１００の内部に、骨壷収容部１１０が幅方向に２つ連なって配設されているが、配設形態は、これに限られるものではない。ただし、本体部１００の幅寸法にもよるが、骨壷収容部１１０を２、３個連ねて配設する方が、骨壷の収容効率を高められる点で好ましい。
【００１９】
図３は、上記と同じく納骨堂１０００の本体部１００のＡ−Ａ断面図であるが、内部に配設される骨壷収容部１１０の構造や配設形態が異なる。具体的には、図２では、骨壷収容部１１０が、幅方向のみに連なるよう配設されていたが、図３では、骨壷収容部１１０が、幅方向及び高さ方向にも連なるよう配設される。そのため、図３に示す骨壷収容部１１０の方が、図２に示すものより、高さ寸法が低い構造となっている。
【００２０】
また、各骨壷収容部１１０の底部には、図２で示した形態と同様、支持体１３０が設けられている。これにより、各骨壷収容部１１０がスライド移動可能な状態で支持され、本体部１００の外部に容易に取り出すことが可能となる。
【００２１】
このように、骨壷収容部１１０を高さ方向にも連ねる構造とすることで、同じ高さの骨壷収容部１１０に同じ収容期限日の骨壷を納めるなどの収容方法を採ることができ、骨壷３００の収容期限を誤るなどの事態を防ぐことができる。
【００２２】
図３に示すように、骨壷収容部１１０が高さ方向にも連なる場合、本体部１００は、同じ高さに配設される骨壷収容部１１０を載置可能な板状部材１４０を有していてもよい。板状部材１４０は、高さ方向に隣接する骨壷収容部１１０の間に配置される。この板状部材１４０が配置されることで、下方に配設される骨壷収容部１１０を取り出す際、その上方に配設される骨壷収容部１１０を一旦持ち上げるなどの作業が不要となり、より容易に骨壷収容部１１０を外部に取り出すことが可能となる。
【００２３】
次に、図４及び図５を参照して、本考案に係る第二の実施形態を詳細に説明する。図４は、第二の実施形態に係る納骨堂本体部のＡ−Ａ断面図、図５は、第二の実施形態に係る納骨堂本体部の矢視図（開閉扉１０２のない状態の本体部を図１の矢印Ｂから見た図）である。第二の実施形態に係る永代供養用墓構造は、上述の第一の実施形態と同様、納骨堂と合祀遺骨埋葬部とを含む。
【００２４】
第一の実施形態と異なる部分は、主に、骨壷収容部２１０を支持する支持体２３０である。第一の実施形態と、第二の実施形態とは、外観の構成に関しては双方とも同じであるため、全体概要を示す図１について、第一及び第二の実施形態で共用する。
【００２５】
第二の実施形態に係る納骨堂の本体部２００は、図４に示すように、骨壷３００を納める骨壷収容部２１０が、幅方向及び高さ方向に連なって配設される（ただし、骨壷収容部２１０を、幅方向や高さ方向に連ねて配設するか否かは任意である。）。また、上述の第一の実施形態同様、支持体２３０によって支持される。
【００２６】
支持体２３０は、高さ方向に隣接する骨壷収容部２１０の間に配置されると共に、図５に示すように、本体部２００の内部前壁２０３から後壁２０４にかけて掛け渡される基板２３１と、この基板２３１上に、幅方向に沿って敷設されレール２３２とを有する。
【００２７】
骨壷収容部２１０は、レール２３２上に載置され、スライド移動可能な状態で支持される。骨壷収容部２１０をレール２３２の沿わせて引き出す（又は押し込む）ことで、骨壷収容部２１０を本体部２００に出し入れすることができる。このような構成によっても、骨壷収容部２１０をスライド移動させることができ、少ない作業負担で骨壷３００の管理を行うことができる。
【００２８】
次に、図６から図８に、本考案に係る永代供養用墓構造の他の実施形態を示す。図６に示す永代供養用墓構造６０は、納骨堂１６００の本体部６００を奥行き方向に一つのみ配設する構成である。この本体部６００の表面（正面）のスペースには彫刻等を施すことが可能である。また、本体部６００の前方（合祀遺骨埋葬部２０００の上方）には、献花台６０００が設置される。
【００２９】
次に、図７に示す永代供養用墓構造７０は、納骨堂１７００の本体部７００の高さ方向の寸法を短くする一方で、その上にモニュメント７０００を立設させる構成である。
【００３０】
次に、図８に示す永代供養用墓構造８０は、ペットの遺骨を収容する用途で使用される永代供養用墓構造である。納骨堂１８００の本体部８００の上部に動物の像が置かれる。特に近年、亡くなったペットの墓に対する需要が増えているが、ペットを供養する場合、上述したような共同合祀による形態がほとんどである。図８に示す永代供養用墓構造８０は、このようなペット用の永代供養用墓構造として有用である。
【符号の説明】
【００３１】
１０        永代供養用墓構造
１００      本体部
１１０      骨壷収容部
１３０      支持体（車輪）
２１０      骨壷収容部
２３０      支持体
２３１      基板
２３２      レール
３００      骨壷
１０００    納骨堂
２０００    合祀遺骨埋葬部
【図１】
0003179724.tif 000003
【図２】
0003179724.tif 000004
【図３】
0003179724.tif 000005
【図４】
0003179724.tif 000006
【図５】
0003179724.tif 000007
【図６】
0003179724.tif 000008
【図７】
0003179724.tif 000009
【図８】
0003179724.tif 000010